(57)【要約】【課題】１つの扉に対して個人認証装置による個人認証操作方法と認証条件を切り替えて利便性とセキュリティ性の両者を維持する入退室管理システムを提供する。【解決手段】個人認証装置による個人認証に基づいて扉を施解錠制御する制御手段を備えた入退室管理システムにおいて、１つの扉に対する複数の個人認証操作方法と認証条件を記憶する認証情報記憶部を備え、前記制御手段は、現在状態に応じた個人認証操作方法と認証条件を認証情報記憶部から読み出し（ＳＴ３，ＳＴ５）、現在状態に応じた個人認証操作方法と認証条件で個人認証装置による個人認証を行う（ＳＴ６−ＳＴ９）。【選択図】図３
2005083078.tif 000002
【特許請求の範囲】
【請求項１】
個人認証装置による個人認証に基づいて扉を施解錠制御する制御手段を備えた入退室管理システムにおいて、
１つの扉に対する複数の個人認証操作方法と認証条件を記憶する認証情報記憶部を備え、
前記制御手段は、現在状態に応じた個人認証操作方法と認証条件を前記認証情報記憶部から読み出し、現在状態に応じた個人認証操作方法と認証条件で前記個人認証装置による個人認証を行う
ことを特徴とする入退室管理システム。
【請求項２】
請求項１に記載の入退室管理システムにおいて、
前記認証情報記憶部には、休日／平日の曜日、昼間／夜間の時間帯、通常時／火災発生時の特別状態に応じた扉毎の個人認証操作方法と認証条件が記憶されていて、
前記制御手段は、カレンダーや外部信号の現在状態に応じた個人認証操作方法と認証条件を前記認証情報記憶部から読み出し、個人認証を行う
ことを特徴とする入退室管理システム。
【発明の詳細な説明】
【技術分野】
【０００１】
この発明は、個人認証装置による個人認証に基づいて扉の施解錠を制御する入退室管理システムに関するものである。
【背景技術】
【０００２】
従来、セキュリティを重視しない昼間や平日は、扉を常に解錠にしておき、個人認証装置の操作なく入退室できるようにして利便性を持たせ、セキュリティ性を重視する夜間や休日は、扉を常に施錠にしておき、個人認証装置の操作により、一時的に扉を解錠し入退室する運用に切り替えることで、セキュリティ性を確保するようにした入退室管理システムがあった。
【０００３】
また、個人認証装置として、１つのカードリーダで、カードによって複数の機能を切り替えるＩＤ判別装置があった（例えば、特許文献１）。
【０００４】
【特許文献１】特開平６-３０１８３３号公報（第２頁）
【発明の開示】
【発明が解決しようとする課題】
【０００５】
しかしながら、上述した入退室管理システムは、個人認証装置の操作そのものをするかしないかを切り替えているため、個人認証装置の操作を行わないモードになると利便性はあるがセキュリティ性が全くなくなってしまう問題があった。また、上述したＩＤ判別装置は、複数のカードを備えてモードを切り替えるようにしているため、モードに応じたカードを備える必要があった。
【０００６】
この発明は上述した点に鑑みてなされたもので、特別な装置を付加することなく、１つの扉に対して個人認証装置による個人認証操作方法と認証条件を切り替えて利便性とセキュリティ性の両者を維持できるようにした入退室管理システムを提供することを目的とする。
【課題を解決するための手段】
【０００７】
この発明に係る入退室管理システムは、個人認証装置による個人認証に基づいて扉を施解錠制御する制御手段を備えた入退室管理システムにおいて、１つの扉に対する複数の個人認証操作方法と認証条件を記憶する認証情報記憶部を備え、前記制御手段は、現在状態に応じた個人認証操作方法と認証条件を前記認証情報記憶部から読み出し、現在状態に応じた個人認証操作方法と認証条件で前記個人認証装置による個人認証を行うことを特徴とする。
【発明の効果】
【０００８】
この発明の入退室管理システムは、現在状態に応じた個人認証操作方法と認証条件を情報記憶部から読み出し、現在状態に応じた個人認証操作方法と認証条件で個人認証装置による個人認証を行うようにしたため、現在状態に応じた個人認証操作方法と認証条件の切り替えによって個人認証装置に利便性とセキュリティ性の両者を持たせることができる。
【発明を実施するための最良の形態】
【０００９】
図１は、この発明の実施の形態に係る入退室管理システムの構成を示すブロック図である。図１に示す入退室管理システムは、個人認証方法や認証条件、カレンダーなどを設定する操作部１、操作部１から入力された１つの扉に対する複数の個人認証操作方法と認証条件を記憶する認証情報記憶部２、電気錠の状態や外部信号の状態等現在状態を記憶する状態記憶部６から現在状態を読み出し、その現在状態により認証情報記憶部２に記憶された複数の個人認証操作方法と認証条件から現在状態に応じた個人認証操作方法と認証条件を読み出し、個人認証を行う個人認証装置１０から受信したデータの認証を行うことで扉の電気錠を施解錠制御する制御手段としての個人認証部３を備えている。なお、個人認証装置１０は、カード、暗証番号、指紋等の複数の個人認証操作方法による認証が可能である。
【００１０】
また、個人認証装置１０から個人認証データを受信したりまたは個人認証部３の制御に基づいて個人認証装置１０に個人認証操作手順を通知したりする個人認証装置制御部４、個人認証部３での認証結果に伴い扉の電気錠１１の施解錠を制御する扉制御部５、電気錠１１の状態や外部信号１２の状態等を記憶する状態記憶部６、外部信号１２の状態を制御する外部信号制御部７、日時などのカレンダーを制御するカレンダー制御部８、操作者が必要とする情報を表示する表示部９を備えている。
【００１１】
ここで、前記認証情報記憶部２には、図２に示すように、休日／平日の曜日、昼間／夜間の時間帯、通常時／火災発生時の特別状態に応じた扉毎の個人認証操作方法と認証条件が記憶されていて、個人認証部３は、状態記憶部６に記憶されたカレンダーや外部信号の現在状態に応じた個人認証操作方法と認証条件を認証情報記憶部２から読み出し、個人認証を行うようになされている。
【００１２】
例えば、図２において、現在状態が「１月１日」であれば、「扉１」に対する個人認証操作方法は、「カード＋暗証」となり、また、認証条件は、夜間であれば「企業」となり、個人認証装置１０に設定される。従って、この場合、カードと暗証番号を用いた認証操作方法で、「企業」が認証条件となる。また、現在状態が「平日」であれば、「扉２」に対する個人認証操作方法は、「暗証」となり、また、認証条件は、昼間であれば「部署＋個人」となり、個人認証装置１０に設定される。従って、この場合、暗証番号を用いた認証操作方法で、「部署＋個人」が認証条件となる。
【００１３】
次に、上記構成に係る入退室管理システムの動作について、主に制御手段としての個人認証部３による制御内容を示す図３に示すフローチャートを参照して説明する。なお、図３に示す記憶部は、図１に示す認証情報記憶部２と状態記憶部６とを合わせて表示したものである。
【００１４】
図３に示すように、個人認証部３は、まず、個人認証装置１０にて個人認証操作があったか否かを個人認証装置制御部４からの通知により判断し（ステップＳＴ１）、個人認証操作があった場合は、次に、状態記憶部６よりカレンダー制御部８からの平日・休日等や外部信号１２の現在状態を読み出し（ステップＳＴ２）、現在状態に対応した個人認証操作方法を認証情報記憶部２から読み出す（ステップＳＴ３）。
【００１５】
読み出された個人認証操作方法にあった個人認証操作であったか確認を行い（ステップＳＴ４）、一致すれば、現在状態に対応した認証条件を認証情報記憶部２から読み出す（ステップＳＴ５）。読み出された認証条件で正規認証データか確認を行い（ステップＳＴ６）、正規認証データであれば、表示部９や個人認証装置１０に認証ＯＫ通知し（ステップＳＴ７）、扉制御部５を制御して扉制御が行われる（ステップＳＴ８）。個人認証操作方法が間違っていた場合や正規認証データでないと認識された場合は、表示部９や個人認証装置１０に認証ＮＧ通知が行われる（ステップＳＴ９）。
【００１６】
従って、実施の形態によれば、個人認証装置を有する入退室管理システムにおいて、１つの扉に対し複数の個人認証操作方法や認証条件を記憶する情報部を有し、各種状態により個人認証操作方法や認証条件を切り替えるようにしたので、個人認証操作方法や認証条件を昼間／夜間等の時間帯や平日／休日等の曜日といった日時や通常時／火災発生時等の特別な状態により切り替えることができる。このため、利便性とセキュリティ性を維持できる。
【産業上の利用可能性】
【００１７】
各種状態により個人認証操作方法や認証条件を切り替えることができ、利便性とセキュリティ性の両者を維持する入退室管理システムに適用できる。
【図面の簡単な説明】
【００１８】
【図１】この発明の実施の形態に係る入退室管理システムの構成を示すブロック図である。
【図２】図１の認証情報記憶部２に記憶されている現在状態に応じた扉毎の個人認証操作方法と認証条件の説明図である。
【図３】図１の個人認証部３による制御内容を示すフローチャートである。
【符号の説明】
【００１９】
１  操作部、２  認証情報記憶部、３  個人認証部（制御手段）、４  個人認証装置制御部、５  扉制御部、６  状態記憶部、７  外部信号制御部、８  カレンダー制御部、９  表示部、１０  個人認証装置、１１  電気錠、１２  外部信号。
【図１】
2005083078.tif 000003
【図２】
2005083078.tif 000004
【図３】
2005083078.tif 000005